【手続補正書】
【提出日】平成23年5月31日(2011.5.31)
【手続補正１】
【補正対象書類名】特許請求の範囲
【補正対象項目名】全文
【補正方法】変更
【補正の内容】
【特許請求の範囲】
【請求項１】
非対称デジタル加入者線ＡＤＳＬを使用してアナログ・チャネル内のトラフィックをデジタル・チャネルにブリッジする方法であって、前記アナログ・チャネルは公衆交換電話網ＰＳＴＮを介するチャネルであり、前記デジタル・チャネルはインターネットを介するチャネルであり、前記方法が、
ＰＳＴＮネットワーク接続するステップを含み、発呼側ＡＤＳＬおよび被呼側ＡＤＳＬが、ＰＳＴＮシグナリングを使用して前記アナログ・チャネル内でＰＳＴＮネットワーク接続を確立し、さらに、
インターネット呼を発見するステップを含み、前記発呼側ＡＤＳＬはインターネット呼サーバにインターネット呼セットアップ・メッセージを送信し、前記発呼側ＡＤＳＬおよび前記被呼側ＡＤＳＬは、前記インターネット上でインターネット・コール・ディスカバリ手順を行って、成功したインターネット・コール・ディスカバリを判定し、さらに、
インターネット接続をセット・アップするステップを含み、前記発呼側ＡＤＳＬおよび前記被呼側ＡＤＳＬは、前記成功したインターネット・コール・ディスカバリによって前記デジタル・チャネル内でインターネット接続をセット・アップし、さらに、
前記ＰＳＴＮネットワーク接続を前記インターネットにブリッジするステップを含み、前記発呼側ＡＤＳＬおよび前記被呼側ＡＤＳＬは、セット・アップされた前記インターネット接続を介して前記ＰＳＴＮネットワーク接続を前記インターネットにブリッジし、前記アナログ・チャネルを解放する、方法。
【請求項２】
前記被呼側ＡＤＳＬが、インターネット呼を発見する前記ステップでインターネット呼要求問合せメッセージを送信し、これが、前記インターネット呼セットアップ・メッセージが前記インターネット呼要求問合せメッセージと一致する時に、成功したインターネット・コール・ディスカバリであると判定される、請求項１に記載の方法。
【請求項３】
インターネット接続をセット・アップする前記ステップが、前記被呼側ＡＤＳＬが前記インターネット呼サーバを介して前記発呼側ＡＤＳＬにインターネット呼接続要求メッセージを送信し、そして、前記発呼側ＡＤＳＬおよび前記被呼側ＡＤＳＬが、前記被呼側ＡＤＳＬが連絡されるべき被呼側であると前記発呼側ＡＤＳＬが判断するときには、インターネット接続をセット・アップすることとを含む、請求項１または２に記載の方法。
【請求項４】
前記発呼側ＡＤＳＬおよび前記被呼側ＡＤＳＬが、前記ＰＳＴＮネットワーク接続を前記インターネットにブリッジする前記ステップでアナログ信号を前記デジタル・チャネル内で送信されるＩＰパケットに変換する、請求項１乃至３のいずれか１項に記載の方法。
【請求項５】
前記発呼側ＡＤＳＬが、前記被呼側ＡＤＳＬのネットワーク情報に従って前記被呼側ＡＤＬＳを呼び出し、前記被呼側ＡＤＳＬが、ＰＳＴＮネットワーク接続する前記ステップで前記発呼側ＡＤＳＬのネットワーク情報を入手する、請求項１乃至４のいずれか１項に記載の方法。
【請求項６】
前記インターネット呼セットアップ・メッセージが、インターネット呼を発見する前記ステップで前記発呼側ＡＤＳＬの前記ネットワーク情報および前記被呼側ＡＤＳＬの前記ネットワーク情報を含む、請求項５に記載の方法。
【請求項７】
前記インターネット呼サーバが分散サーバである、請求項１乃至６のいずれか１項に記載の方法。
【請求項８】
前記インターネット接続がポイント・ツー・ポイント接続を含む、請求項１乃至７のいずれか１項に記載の方法。
【請求項９】
前記発呼側ＡＤＳＬの前記ネットワーク情報が前記発呼側のＥ．１６４番号を含み、前記被呼側ＡＤＳＬの前記ネットワーク情報が前記被呼側のＥ．１６４番号を含む、請求項１乃至８のいずれか１項に記載の方法。
【請求項１０】
前記インターネット呼セットアップ・メッセージが前記発呼側ＡＤＳＬの前記ネットワーク情報と前記被呼側ＡＤＳＬの前記ネットワーク情報とを含む、請求項１乃至９のいずれか１項に記載の方法。
【請求項１１】
前記発呼側ＡＤＳＬの前記ネットワーク情報が、前記発呼側ＡＤＳＬのソケット情報および前記発呼側ＡＤＳＬの前記ソケットによってサポートされるコーデックのリストを含み、
前記被呼側ＡＤＳＬの前記ネットワーク情報が、前記被呼側ＡＤＳＬのソケット情報および前記被呼側ＡＤＳＬの前記ソケットによってサポートされる前記コーデックのリストを含む、請求項１乃至１０のいずれか１項に記載の方法。
【請求項１２】
前記インターネット呼要求問合せメッセージおよび前記インターネット呼接続要求メッセージが前記発呼側ＡＤＳＬの前記ネットワーク情報および／または前記被呼側ＡＤＳＬの前記ネットワーク情報を含む、請求項１乃至１１のいずれか１項に記載の方法。
【請求項１３】
前記アナログ・チャネル内の前記ＰＳＴＮネットワーク接続が音声呼および／またはファックス呼を含む、請求項１乃至１２のいずれか１項に記載の方法。
【請求項１４】
インターネット接続をセット・アップする前記ステップで、前記発呼側ＡＤＳＬが、前記被呼側の番号がフリー・ダイヤルであるかどうかをチェックし、そうである場合に、ＰＳＴＮ呼を直接に行う、請求項１乃至１３のいずれか１項に記載の方法。
【請求項１５】
請求項１乃至１４のいずれか１項に記載の方法で使用されるＡＤＳＬモデムであって、
アナログ信号を受信／送信するアナログ信号受信／送信モジュールと、
デジタル信号を受信／送信するデジタル信号受信／送信モジュールと、
前記アナログ信号受信／送信モジュールおよび前記デジタル信号受信／送信モジュールに接続され、必要な場合に、前記アナログ信号受信／送信モジュールからの前記アナログ信号を前記デジタル信号受信／送信モジュールへの送達のためにＩＰデータ・パケットに符号化し、および／または、前記デジタル信号受信／送信モジュールからの前記デジタル信号を前記アナログ信号受信／送信モジュールへの送達のためにアナログ信号に復号するコーデック・モジュールと、
発呼側および被呼側のネットワーク情報を分析し、前記発呼側および前記被呼側を認証する、前記コーデック・モジュールに接続された分析モジュールと、
前記モデムの他のモジュールの動作を制御する、前記モデムの他のモジュールのそれぞれに接続された制御モジュールと、
前記モデムのセット・データおよびプログラムを格納する、前記モデムの他のモジュールのそれぞれに接続されたストレージ・モジュールと、を含むモデム。
【請求項１６】
ＶｏＩＰ機能を許可／禁止するように前記モデムを構成し、ＶｏＩＰサービス・セッティングをセットするための、前記ユーザのための前記制御モジュールに接続されたユーザ・セッティング・モジュールをさらに含む、請求項１５に記載のモデム。
【請求項１７】
前記アナログ信号がアナログ・チャネル上のデュアル・トーン・マルチフリーケンシ信号を含み、前記デジタル信号がデジタル・チャネルからのＶｏＩＰデータ・パケットを含む、請求項１５または１６に記載のモデム。
【請求項１８】
前記ユーザの呼がＰＳＴＮモードまたはＶｏＩＰモードであることを示すために前記制御モジュールに接続された動作モード表示モジュールをさらに含む、請求項１５乃至１７のいずれか１項に記載のモデム。
【請求項１９】
前記モデムが、ＶｏＩＰモードで動作するようにセットされ、前記デジタル・チャネル内で前記被呼側との接続を確立できるときには、前記デジタル信号受信／送信モジュールから受け取られる前記アナログ信号が、前記コーデック・モジュールによってＩＰデータ・パケットに変換され、前記ＩＰデータ・パケットが、発呼側ＡＤＳＬと被呼側ＡＤＳＬとの間の通信を実現するために前記デジタル・チャネルにブリッジされ、
前記モデムが、ＰＳＴＮモードで動作するようにセットされるとき、または前記モデムがＶｏＩＰモードで動作するようにセットされるが前記デジタル・チャネルで前記被呼側との接続を確立できないときには、前記発呼側ＡＤＳＬと前記被呼側ＡＤＳＬとの間の通信が前記アナログ・チャネル内で実現される、請求項１５乃至１８のいずれか１項に記載のモデム。
【請求項２０】
前記ユーザのセッティングに従って短い番号を前記ユーザがダイヤル・アウトする必要がある完全な番号にマッピングする番号マッピング・モジュールをさらに含む、請求項１５乃至１９のいずれか１項に記載のモデム。
【請求項２１】
前記分析モジュールが、ユーザが電話をかける時に前記被呼側の番号がフリー・ダイヤルであるかどうかを分析し、そうである場合に、前記制御モジュールが前記モデムをＰＳＴＮモードにセットする、請求項１５乃至２０のいずれか１項に記載のモデム。
【請求項２２】
コール・ディスカバリおよび接続を実行する、請求項１乃至１４のいずれか１項に記載の方法で使用されるインターネット呼サーバであって、
呼セットアップ・メッセージ、呼要求問合せメッセージ、インターネット呼接続要求メッセージ、および呼セットアップ拒絶メッセージを含むメッセージを受信／送信するメッセージ受信／送信モジュールと、
前記メッセージを格納する、前記メッセージ受信／送信モジュールに接続されたストレージ・モジュールと、
前記被呼側ＡＤＳＬが前記インターネット呼サーバに前記呼要求問合せメッセージを送信するときには、前記インターネット呼要求問合せメッセージと一致するインターネット呼セットアップ・メッセージがあるかどうかを見つけるために前記ストレージ・モジュール内で検索する、前記ストレージ・モジュールに接続されたコール・ディスカバリ・モジュールと、
前記インターネット呼サーバの他のモジュールの動作を制御するために前記インターネット呼サーバの他のモジュールのそれぞれに接続された制御モジュールと、
呼接続をセット・アップするか切断する、前記制御モジュールに接続された呼接続モジュールとを含む、インターネット呼サーバ。